(57)【特許請求の範囲】
【請求項１】
複数の部分コンテンツを定められた順序に基づき再生することにより、該複数の部分コンテンツを含むオリジナルコンテンツ、または、該オリジナルコンテンツに含まれる少なくとも一部の部分コンテンツを含むダイジェストコンテンツを再生する再生手段と、
上記再生手段が再生すべき部分コンテンツを指定することにより、上記再生手段を制御する再生制御手段とを備え、
上記再生手段は、複数の上記ダイジェストコンテンツに含まれる複数の部分コンテンツを定められた順序に基づき再生することにより、上記複数のダイジェストコンテンツを順次再生するものであり、
上記再生制御手段は、上記再生手段が、あるダイジェストコンテンツの再生中にオリジナルコンテンツを再生すべきことを示すイベントを検知することにより、当該ダイジェストコンテンツに対応するオリジナルコンテンツを再生している間に、ダイジェストコンテンツを再生すべきことを示すイベントを検知したとき、上記オリジナルコンテンツに付与されている、該オリジナルコンテンツに対応するダイジェストコンテンツの次のダイジェストコンテンツおよび該次のダイジェストコンテンツに含まれる先頭の部分コンテンツを特定する再開位置情報に基づいて、該再開位置情報が特定する部分コンテンツの再生を上記再生手段に指示することを特徴とするコンテンツ再生装置。
【請求項２】
当該コンテンツ再生装置の動作を指示する操作信号の入力を検知する入力受付手段を備え、
上記再生制御手段は、
上記入力受付手段が検知した操作信号が、オリジナルコンテンツの再生を停止する要求であると解釈した場合、オリジナルコンテンツの再生を停止し、上記再生中のオリジナルコンテンツに付与された再開位置情報に基づいて、該再開位置情報が特定するダイジェストコンテンツの部分コンテンツを再生するよう上記再生手段に指示することを特徴とする請求項１に記載のコンテンツ再生装置。
【請求項３】
上記再生制御手段は、
上記再生手段によるオリジナルコンテンツの最後の部分コンテンツの再生が終了したことを検知したとき、
上記オリジナルコンテンツに付与されている、上記再開位置情報に基づいて、該再開位置情報が特定するダイジェストコンテンツの部分コンテンツの再生を上記再生手段に指示することを特徴とする請求項１または２に記載のコンテンツ再生装置。
【請求項４】
上記部分コンテンツは、再生するときに読み込む表示対象と、次に再生すべき部分コンテンツを指定する遷移先とを含むスライドであり、
上記再生制御手段は、上記再生手段が直前に再生したスライドに含まれる上記遷移先に従って、上記再生手段が次に再生すべきスライドを上記再生手段に指定し、
上記再生手段は、上記再生制御手段によって指定されたスライドに含まれる上記表示対象を再生することを特徴とする請求項１から３までのいずれか１項に記載のコンテンツ再生装置。
【請求項５】
上記再開位置情報は、上記オリジナルコンテンツの各スライドに付与されているものであり、上記オリジナルコンテンツの各スライドに対応する上記ダイジェストコンテンツのスライドを特定するものであることを特徴とする請求項４に記載のコンテンツ再生装置。
【請求項６】
上記ダイジェストコンテンツのスライドに含まれる表示対象が示す情報は、対応する上記オリジナルコンテンツのスライドに含まれる表示対象が示す情報の一部が減らされたものであること特徴とする請求項４または５に記載のコンテンツ再生装置。
【請求項７】
上記スライドは、上記表示対象を表示する時間を示す表示時間をさらに含み、
上記再生制御手段は、上記スライドの表示時間が経過したとき、上記遷移先が指定する次のスライドを上記再生手段に再生させることを特徴とする請求項４から６までのいずれか１項に記載のコンテンツ再生装置。
【請求項８】
複数の部分コンテンツを順次再生することにより、該複数の部分コンテンツを含むオリジナルコンテンツ、または、該オリジナルコンテンツに含まれる少なくとも一部の部分コンテンツを含むダイジェストコンテンツを再生するコンテンツ再生装置であって複数の上記ダイジェストコンテンツに含まれる複数の部分コンテンツを定められた順序に基づき再生することにより、上記複数のダイジェストコンテンツを順次再生するコンテンツ再生装置に対して供給すべき部分コンテンツを決定するコンテンツ決定手段と、
上記コンテンツ再生装置が或るダイジェストコンテンツを再生後、上記ダイジェストコンテンツに対応するオリジナルコンテンツの再生を中断し、上記ダイジェストコンテンツを再生するときの再開位置を特定する再開位置情報であって、該オリジナルコンテンツに対応するダイジェストコンテンツの次のダイジェストコンテンツおよび該次のダイジェストコンテンツに含まれる先頭の部分コンテンツを特定する再開位置情報を記憶する再開位置情報記憶部とを備え、
上記コンテンツ決定手段は、
上記コンテンツ再生装置が上記ダイジェストコンテンツの再生を再開するときに、上記再開位置情報記憶部に記憶されている再開位置情報に基づいて、上記コンテンツ再生装置に供給すべき部分コンテンツを決定することを特徴とするコンテンツ提供サーバ。
【請求項９】
複数の部分コンテンツを定められた順序に基づき再生することにより、該複数の部分コンテンツを含むオリジナルコンテンツ、または、該オリジナルコンテンツに含まれる少なくとも一部の部分コンテンツを含むダイジェストコンテンツを再生するコンテンツ再生装置の制御方法であって、
上記コンテンツ再生装置は、再生手段と、再生制御手段とを備え、
上記再生手段が、上記複数の上記ダイジェストコンテンツに含まれる複数の部分コンテンツを定められた順序に基づき再生することにより、上記複数のダイジェストコンテンツを順次再生する再生ステップと、
上記再生制御手段が、あるダイジェストコンテンツの再生中にオリジナルコンテンツを再生するイベントを検知することにより、当該ダイジェストコンテンツに対応するオリジナルコンテンツを再生している間に、ダイジェストコンテンツを再生すべきことを示すイベントを検知したとき、上記オリジナルコンテンツに対応するダイジェストコンテンツの次のダイジェストコンテンツおよび該次のダイジェストコンテンツに含まれる先頭の部分コンテンツを特定する再開位置情報に基づいて、該再開位置情報が特定する部分コンテンツの再生を上記再生手段に指示する再生制御ステップと、を含むことを特徴とするコンテンツ再生装置の制御方法。
【請求項１０】
複数の部分コンテンツを順次再生することにより、該複数の部分コンテンツを含むオリジナルコンテンツ、または、該オリジナルコンテンツに含まれる少なくとも一部の部分コンテンツを含むダイジェストコンテンツを再生するコンテンツ再生装置であって複数の上記ダイジェストコンテンツに含まれる複数の部分コンテンツを定められた順序に基づき再生することにより、上記複数のダイジェストコンテンツを順次再生するコンテンツ再生装置に対して部分コンテンツを供給するコンテンツ提供サーバの制御方法であって、
上記コンテンツ再生装置が或るダイジェストコンテンツを再生後、上記ダイジェストコンテンツに対応するオリジナルコンテンツを再生し、中断し、上記ダイジェストコンテンツの再生を再開する場合に、
上記オリジナルコンテンツに対応するダイジェストコンテンツの次のダイジェストコンテンツに含まれる先頭の部分コンテンツを特定する再開位置情報を記憶する再開位置情報記憶部から読み出した該再開位置情報に基づいて、上記コンテンツ再生装置に供給すべき部分コンテンツを決定することを特徴とするコンテンツ提供サーバの制御方法。
【請求項１１】
請求項１から７までの何れか１項に記載のコンテンツ再生装置、もしくは、請求項８に記載のコンテンツ提供サーバを動作させる制御プログラムであって、コンピュータを上記の各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、スライド・ショー形式でコンテンツを再生するコンテンツ再生装置等に関するものである。
【背景技術】
【０００２】
近年、インターネット機能を備えたテレビジョン受像機（以下、テレビと称する。）が製品化され、一般の家庭にも普及している。このため、これまでは、インターネットといえば、パーソナル・コンピュータ（以下、パソコンと称する）等から利用するものであったが、テレビから手軽にアクセスできるようになってきている。例えば、テレビのインターネット機能によって、インターネット上で利用可能なコンテンツを取得し、テレビのディスプレイ上において、取得したコンテンツを表示してユーザが閲覧することができる。ここで、コンテンツとは、例えば、文字情報、画像、動画および音楽といった情報を広く意味する。
【０００３】
インターネット上におけるコンテンツの配信サービスとしては、テレビ向けのサービスに先駆けて、パソコンを対象としたサービスが既に広く普及している。今後は、テレビでも利用可能なコンテンツの量は徐々に増加し、また、テレビに提示することを前提としたテレビ向けのコンテンツも増えることが予測される。
【０００４】
ところで、現在、インターネット上で利用可能なコンテンツの量は膨大であるがゆえに、ユーザは、自分の所望するコンテンツを探索するために、しばしば多くの時間を浪費しなければならないことがある。これに対する対応策として、パソコン向けのコンテンツの配信サービスでは、ユーザが所望するコンテンツを効率よく探索し、ユーザに対して提示できるようにするため、多くの場合、キーワード検索やディレクトリ検索といった技法が採用されている。
【０００５】
一方、前述のとおり、テレビで利用可能なコンテンツは徐々に増加していくことが見込まれるため、ユーザが、自分の所望するコンテンツをテレビで簡単に探索することができるように、コンテンツを提示する技術が必要とされつつある。
【０００６】
例えば、特許文献１においては、画像データのスライド・ショーにおいて、スライド・ショーにおけるスライド表示を一時停止した場合、次にスライド・ショーを再開するときに、一時停止したスライドから再生を開始する構成としている。上記の構成によって、スライド・ショー再開時に、既に視聴済みのスライドを重複して視聴することを防ぎ、当該スライド・ショーの利便性の向上を図っている。
【特許文献１】特開２００６−１２１６４４号（２００６年５月１１日公開）
【発明の開示】
【発明が解決しようとする課題】
【０００７】
しかしながら、特許文献１に開示される発明は、単に画像データをスライド・ショーとして提示する場合についての発明であり、また、当該発明の構成では、スライド・ショーを一時停止した場合、次にスライド・ショーを再開するときに、必ず一時停止されたスライドから再生することになる。
【０００８】
また、一連の順序に意味があるコンテンツをスライド・ショー形式で再生する場合、単にスライド・ショーを中断した場所から再生を再開してしまうと、一連のコンテンツが元来有している意味を失いユーザが一連のコンテンツの内容を理解することが困難になる。
【０００９】
例えば、テレビ向けのコンテンツとしては、前述の画像データ以外にも多様な種類のものが提供されることが予想されるため、必ずしも一時停止した場所から再生を再開することが望ましいとも限らない。
【００１０】
本発明は、上記の問題点に鑑みてなされたものであり、その目的は、再生を中断したコンテンツを、コンテンツが有する意味を考慮して適切な位置から再開することが可能な、すなわちユーザがコンテンツの内容を容易に理解できるようにするコンテンツ再生装置、コンテンツ提供サーバ、その制御方法、制御プログラムおよび記録媒体を実現することにある。
【課題を解決するための手段】
【００１１】
本発明に係るコンテンツ再生装置は、上記課題を解決するために、複数の部分コンテンツを定められた順序に基づき再生することにより、オリジナルコンテンツ、または、該オリジナルコンテンツの少なくとも一部を含むダイジェストコンテンツを再生する再生手段と、上記再生手段が再生すべき部分コンテンツを指定することにより、上記再生手段を制御する再生制御手段とを備え、上記再生制御手段は、上記再生手段がダイジェストコンテンツを再生中に、所定のイベントに応じて、上記ダイジェストコンテンツに対応するオリジナルコンテンツの再生を指示する一方、上記再生手段がオリジナルコンテンツを再生中に、所定のイベントに応じて、該オリジナルコンテンツに付与されている、対応するダイジェストコンテンツの部分コンテンツを特定する再開位置情報に基づいて、該再開位置情報が特定する部分コンテンツの再生を上記再生手段に指示することを特徴としている。
【００１２】
また、本発明に係るコンテンツ再生装置制御方法は、上記課題を解決するために、複数の部分コンテンツを定められた順序に基づき再生することにより、オリジナルコンテンツ、または、該オリジナルコンテンツの少なくとも一部を含むダイジェストコンテンツを再生するコンテンツ再生装置の制御方法であって、上記コンテンツ再生装置が再生すべき部分コンテンツを指定する再生制御ステップと、上記再生制御ステップにて指定された部分コンテンツを再生する再生ステップとを含み、上記再生制御ステップでは、上記再生ステップにてダイジェストコンテンツを再生中に、所定のイベントに応じて、上記ダイジェストコンテンツに対応するオリジナルコンテンツの再生を上記コンテンツ再生装置に指示する一方、上記再生ステップにてオリジナルコンテンツを再生中に、所定のイベントに応じて、該オリジナルコンテンツに付与されている、対応するダイジェストコンテンツの部分コンテンツを特定する再開位置情報に基づいて、該再開位置情報が特定する部分コンテンツの再生を上記コンテンツ再生装置に指示することを特徴としている。
【００１３】
上記構成によれば、オリジナルコンテンツおよびダイジェストコンテンツは、複数の部分コンテンツを含むものであり、再生手段が、複数の部分コンテンツを定められた順序に基づき再生すると、再生手段は、オリジナルコンテンツ、または、ダイジェストコンテンツを再生したことになる。
【００１４】
ダイジェストコンテンツは、上記オリジナルコンテンツの少なくとも一部を含むものである。例えば、オリジナルコンテンツの部分コンテンツの少なくともいずれかを含んでいる。すなわち、ダイジェストコンテンツとオリジナルコンテンツとは１対１で対応している。
【００１５】
そして、再生制御手段は、所定のイベントに応じて、上記再生手段が再生すべき部分コンテンツを指定することにより、上記再生手段を制御する。
【００１６】
具体的には、ダイジェストコンテンツを再生中に、再生制御手段が、所定のイベントに応じて、上記ダイジェストコンテンツに対応するオリジナルコンテンツの再生を指示する。
【００１７】
また、一方で、再生制御手段が、上記再生手段がオリジナルコンテンツを再生中に、所定のイベントに応じて、該オリジナルコンテンツに付与されている、対応するダイジェストコンテンツの部分コンテンツを特定する再開位置情報に基づいて、該再開位置情報が特定する部分コンテンツの再生をする。
【００１８】
これにより、ダイジェストコンテンツを再生中に、該ダイジェストコンテンツの再生を中断して、該ダイジェストコンテンツに対応するオリジナルコンテンツを再生した後、再び、ダイジェストコンテンツの再生を開始する場合に、ダイジェストコンテンツのどの部分コンテンツから再生を再開すればよいのかを、上記再開位置情報に基づいて任意に特定することができる。
【００１９】
その結果として、再開位置情報を用いて、ダイジェストコンテンツの各部分コンテンツが有する意味を考慮して適切な位置から部分コンテンツの再生を再開することが可能になる。
【００２０】
本発明に係るコンテンツ再生装置では、上記課題を解決するために、上記再生手段は、複数の部分コンテンツを定められた順序に基づき再生することにより、複数のオリジナルコンテンツに対応する複数のダイジェストコンテンツを順次再生し、上記再生制御手段は、上記再生手段が何れかのオリジナルコンテンツを再生中に、該オリジナルコンテンツに付与されている、ダイジェストコンテンツおよび該ダイジェストコンテンツの部分コンテンツを特定する再開位置情報に基づいて、該再開位置情報が特定する部分コンテンツの再生を上記再生手段に指示することが好ましい。
【００２１】
上記構成によれば、まず、再生手段が、複数のオリジナルコンテンツと、複数のダイジェストコンテンツとを、複数の部分コンテンツを定められた順序に基づき再生することによって順次再生する。
【００２２】
そして、再生制御手段は、何れかのオリジナルコンテンツを再生中に、該オリジナルコンテンツに付与されている、ダイジェストコンテンツおよび該ダイジェストコンテンツの部分コンテンツを特定する再開位置情報に基づいて、該再開位置情報が特定する部分コンテンツの再生を上記再生手段に指示する。
【００２３】
そのため、複数のオリジナルコンテンツに対応して、ダイジェストコンテンツが複数になっても、再開位置情報に基づいて、適切なダイジェストコンテンツの適切な部分コンテンツから再生を再開できる。
【００２４】
以上のことから、再生するダイジェストコンテンツおよびオリジナルコンテンツが複数になっても、各ダイジェストコンテンツおよびオリジナルコンテンツの順序や意味を損なうことなく、ダイジェストコンテンツおよびオリジナルコンテンツの再生中断と再生再開を実行することが可能となる。結果として、ユーザがオリジナルコンテンツの内容を把握することを支援することができるという効果を奏する。
【００２５】
本発明に係るコンテンツ再生装置では、上記課題を解決するために、上記再開位置情報は、上記ダイジェストコンテンツに含まれる先頭の部分コンテンツを特定する情報であることが好ましい。
【００２６】
ダイジェストコンテンツの再生は、再生手段が、該ダイジェストコンテンツに含まれる複数の部分コンテンツを定められた順序に基づき行われるという点を考慮すると、ユーザは、ダイジェストコンテンツの先頭から、再生が始まったほうが、当該ダイジェストコンテンツの内容を把握しやすい。
【００２７】
上記構成によれば、再開位置情報は、特定する部分コンテンツは、上記ダイジェストコンテンツに含まれる先頭の部分コンテンツである。
【００２８】
従って、再生制御手段が、再開位置情報が、ダイジェストコンテンツに含まれる先頭の部分コンテンツを特定する情報であれば、再生手段に対して、先頭の部分コンテンツから再生を再開するように指示することができる。
【００２９】
これにより、ダイジェストコンテンツが再開されるときには、ユーザは、常に、直前に再生されていたダイジェストコンテンツの先頭の部分コンテンツから視聴を再開できるので、再生が再開されたダイジェストコンテンツがどのオリジナルコンテンツのダイジェストコンテンツであるのかを容易に把握することができる。
【００３０】
本発明に係るコンテンツ再生装置では、上記課題を解決するために、上記再開位置情報は、当該オリジナルコンテンツに対応するダイジェストコンテンツの次のダイジェストコンテンツおよび該次のダイジェストコンテンツに含まれる先頭の部分コンテンツを特定する情報であることが好ましい。
【００３１】
上記構成によれば、コンテンツ再生装置は、直前に再生されていたダイジェストコンテンツの次に再生をするべきダイジェストコンテンツから再生を再開する。このため、ユーザは、次のダイジェストコンテンツから迅速にコンテンツを確認することができる。
【００３２】
本発明に係るコンテンツ再生装置では、上記課題を解決するために、当該コンテンツ再生装置の動作を指示する操作信号の入力を検知する入力受付手段を備え、上記再生制御手段は、上記入力受付手段が検知した操作信号が、オリジナルコンテンツの再生を停止する要求であると解釈した場合、オリジナルコンテンツの再生を停止し、上記再生中のオリジナルコンテンツに付与された再開位置情報に基づいて、該再開位置情報が特定するダイジェストコンテンツの部分コンテンツを再生するよう上記再生手段に指示することを特徴とすることが好ましい。
【００３３】
上記構成によれば、入力受付手段において検知された操作信号について、上記再生制御手段が、当該操作信号オリジナルコンテンツの再生を停止する要求であると解釈した場合、上記再生制御手段は、まず、オリジナルコンテンツの再生を停止するよう上記再生手段に指示する。それに加えて、上記再生制御手段は、上記再生中のオリジナルコンテンツに付与された再開位置情報に基づいて、該再開位置情報が特定する部分コンテンツの再生を再生手段に指示する。
【００３４】
このため、オリジナルコンテンツの再生を停止すれば、直ちにダイジェストコンテンツの再生を開始することができる。
【００３５】
従って、ユーザは、特別な操作を行うことなく、ダイジェストコンテンツの再生を開始することができる。
【００３６】
上記再生制御手段は、上記再生手段によるオリジナルコンテンツの最後の部分コンテンツの再生が終了したことを検知したとき、上記オリジナルコンテンツに付与されている、対応するダイジェストコンテンツの部分コンテンツを特定する再開位置情報に基づいて、該再開位置情報が特定するダイジェストコンテンツの部分コンテンツの再生を上記再生手段に指示することが好ましい。
【００３７】
上記構成によれば、再生制御手段は、ユーザが、特に操作を行わなくても、あるオリジナルコンテンツの再生を全て終了したとき、ダイジェストコンテンツの再生を再開するよう再生手段に指示する。このとき、ユーザは、そのオリジナルコンテンツの内容を全て見終わっている可能性が高い。そのため、あるオリジナルコンテンツの再生を全て終了したとき、ダイジェストコンテンツの再生を再開すれば、ユーザの便宜を図ることができる。
【００３８】
本発明に係るコンテンツ提供サーバは、上記課題を解決するために、複数の部分コンテンツを順次再生することにより、オリジナルコンテンツ、または、該オリジナルコンテンツの少なくとも一部を含むダイジェストコンテンツを再生するコンテンツ再生装置に対して供給すべき部分コンテンツを決定するコンテンツ決定手段と、上記コンテンツ再生装置が、上記ダイジェストコンテンツに対応するオリジナルコンテンツの再生を中断し、上記ダイジェストコンテンツの再生を再開する場合に、再生すべき上記ダイジェストコンテンツの部分コンテンツを特定する再開位置情報を記憶する再開位置情報記憶部とを備え、上記コンテンツ決定手段は、上記コンテンツ再生装置が、上記ダイジェストコンテンツの再生を再開するときに、上記再開位置情報記憶部に記憶されている再開位置情報に基づいて、上記コンテンツ再生装置に供給すべき部分コンテンツを決定することを特徴としている。
【００３９】
本発明に係るコンテンツ提供サーバ制御方法は、上記課題を解決するために、複数の部分コンテンツを順次再生することにより、オリジナルコンテンツ、または、該オリジナルコンテンツの少なくとも一部を含むダイジェストコンテンツを再生するコンテンツ再生装置に対して部分コンテンツを供給するコンテンツ提供サーバの制御方法であって、上記コンテンツ再生装置が、上記ダイジェストコンテンツに対応するオリジナルコンテンツの再生を中断し、上記ダイジェストコンテンツの再生を再開する場合に、上記コンテンツ再生装置が上記ダイジェストコンテンツの再生を再開するときに再生すべき上記ダイジェストコンテンツの部分コンテンツを特定する再開位置情報を記憶する再開位置情報記憶部から読み出した再開位置情報に基づいて、上記コンテンツ再生装置に供給すべき部分コンテンツを決定することを特徴とすることを特徴としている。
【００４０】
上記構成によれば、まず、コンテンツ提供サーバが備えるコンテンツ決定手段は、複数の部分コンテンツを順次再生することにより、オリジナルコンテンツ、または、該オリジナルコンテンツの少なくとも一部を含むダイジェストコンテンツを再生するコンテンツ再生装置に対して供給すべき部分コンテンツを決定する。
【００４１】
また、コンテンツ提供サーバは、コンテンツ再生装置が、上記ダイジェストコンテンツに対応するオリジナルコンテンツの再生を中断し、上記ダイジェストコンテンツの再生を再開する場合に、再生すべき上記ダイジェストコンテンツの部分コンテンツを特定する再開位置情報を記憶する再開位置情報記憶部とを備えている。
【００４２】
そして、コンテンツ提供サーバが備えるコンテンツ決定手段が、上記コンテンツ再生装置が、上記ダイジェストコンテンツの再生を再開するときに、上記再開位置情報記憶部に記憶されている再開位置情報に基づいて、上記コンテンツ再生装置に供給すべき部分コンテンツを決定する。
【００４３】
その結果として、コンテンツ再生装置は、上述のように決定された部分コンテンツを受信し、オリジナルコンテンツが有する意味が考慮された適切な位置から部分コンテンツの再生を再開することが可能になる。
【００４４】
本発明に係るコンテンツ提供サーバでは、上記課題を解決するために、上記コンテンツ再生装置が、上記ダイジェストコンテンツの再生を中断して、上記ダイジェストコンテンツに対応するオリジナルコンテンツを再生するときに、上記コンテンツ再生装置が中断したダイジェストコンテンツの部分コンテンツを特定する中断位置情報を上記コンテンツ再生装置から取得する中断位置情報取得手段を備え、上記再開位置情報記憶部には、上記再開位置情報が、上記ダイジェストコンテンツの部分コンテンツに対応付けて記憶されており、上記コンテンツ決定手段は、上記コンテンツ再生装置が、上記ダイジェストコンテンツの再生を再開するときに、上記中断位置情報取得手段が取得した中断位置情報が特定する部分コンテンツに対応付けられた再開位置情報に基づいて供給すべき部分コンテンツを決定することが好ましい。
【００４５】
このように、コンテンツ再生装置が中断したダイジェストコンテンツの部分コンテンツを特定する中断位置情報を考慮して、当該中断位置情報に基づいて供給すべき部分コンテンツを決定するといった制御も可能である。
【００４６】
なお、上記コンテンツ提供サーバにおける各手段を、コンテンツ提供サーバ制御プログラムによりコンピュータに実行させることができる。さらに、コンテンツ提供サーバ制御プログラムをコンピュータ読み取り可能な記録媒体に記憶させることにより、任意のコンピュータ上で上記コンテンツ提供サーバ制御プログラムを実行させることができる。
【発明の効果】
【００４７】
本発明に係るコンテンツ再生装置は、以上のように、複数の部分コンテンツを定められた順序に基づき再生することにより、オリジナルコンテンツ、または、該オリジナルコンテンツの少なくとも一部を含むダイジェストコンテンツを再生する再生手段と、上記再生手段が再生すべき部分コンテンツを指定することにより、上記再生手段を制御する再生制御手段とを備え、上記再生制御手段は、上記再生手段がダイジェストコンテンツを再生中に、所定のイベントに応じて、上記ダイジェストコンテンツに対応するオリジナルコンテンツの再生を指示する一方、上記再生手段がオリジナルコンテンツを再生中に、所定のイベントに応じて、該オリジナルコンテンツに付与されている、対応するダイジェストコンテンツの部分コンテンツを特定する再開位置情報に基づいて、該再開位置情報が特定する部分コンテンツの再生を上記再生手段に指示する構成である。
【００４８】
その結果として、コンテンツが有する意味を考慮して適切な位置から部分コンテンツの再生を再開することが可能になるという効果を奏する。
【００４９】
本発明に係るコンテンツ提供サーバは、以上のように、複数の部分コンテンツを定められた順序に基づき再生することにより、オリジナルコンテンツ、または、該オリジナルコンテンツの少なくとも一部を含むダイジェストコンテンツを再生するコンテンツ再生装置の制御方法であって、上記コンテンツ再生装置が再生すべき部分コンテンツを指定する再生制御ステップと、上記再生制御ステップにて指定された部分コンテンツを再生する再生ステップとを含み、上記再生制御ステップでは、上記再生ステップにてダイジェストコンテンツを再生中に、所定のイベントに応じて、上記ダイジェストコンテンツに対応するオリジナルコンテンツの再生を上記コンテンツ再生装置に指示する一方、上記再生ステップにてオリジナルコンテンツを再生中に、所定のイベントに応じて、該オリジナルコンテンツに付与されている、対応するダイジェストコンテンツの部分コンテンツを特定する再開位置情報に基づいて、該再開位置情報が特定する部分コンテンツの再生を上記コンテンツ再生装置に指示する構成である。
【００５０】
その結果として、コンテンツ再生装置は、上述のように決定された部分コンテンツを受信し、コンテンツが有する意味が考慮された適切な位置から部分コンテンツの再生を再開することが可能になるという効果を奏する。
【発明を実施するための最良の形態】
【００５１】
〔実施形態１〕
（コンテンツ再生制御装置の利用形態）
本発明の一実施形態について図１〜図１７に基づいて説明すると以下の通りである。図２は、本発明の一実施形態に係るコンテンツ提供システムの概略を示す図である。同図に示すように、本実施形態に係るコンテンツ提供システム５は、テレビ（コンテンツ再生装置）１、リモコン２、インターネット網３およびコンンテンツ・サーバ４によって構成されている。
【００５２】
本実施形態おいて、テレビ１は、テレビ機能、コンテンツ再生制御機能、ネットワーク接続機能、およびＷｅｂブラウズ機能などの機能を備える装置である。テレビ機能は、放送波を受信し、受信した番組を図示しないディスプレイ部に表示するものである。また、テレビ１にはリモコン２が付属しており、テレビ１に対する種々の操作がリモコン２によって行われる。リモコン２は、より具体的には、テレビ１の電源のＯＮ／ＯＦＦや、番組視聴時にチャンネルを切り替えるためのチャネルボタンや、後述のＷｅｂブラウズ機能に用いられる方向ボタン、決定ボタン、戻るボタンなどのボタンから構成されるユーザ・インターフェースを備えており、ユーザからの操作入力を受け付け、当該操作入力に対応する操作信号をテレビに送信するものである。
【００５３】
また、テレビ１は、ネットワーク接続機能によってインターネット網３に接続することができる。図示のとおり、テレビ１とコンテンツ・サーバ４とは、インターネット網３を介して通信を行うことができる。
【００５４】
コンテンツ・サーバ４は、Ｗｅｂページや画像データ、動画データ、音楽データなど、テレビ１において再生可能なデータであるコンテンツ（オリジナルコンテンツ）を保持するものである。また、コンテンツ・サーバ４は、上記コンテンツに対応するダイジェスト（ダイジェストコンテンツ）を保持している。このダイジェストとは、対応するコンテンツの特徴的な内容を示すコンテンツの部分を複数個抽出したものから構成されたものである。すなわち、ダイジェストとは、総体的にコンテンツの概略的な内容を示すデータの集合体のことである。
【００５５】
本実施形態に係るテレビ１は、コンテンツ・サーバ４上の上記コンテンツおよびダイジェストを以下のように再生する。すなわち、テレビ１は、複数のダイジェストを順に再生し、ユーザに、各ダイジェストに対応しているコンテンツの概略的な内容を提示する。
【００５６】
そして、ユーザが上記ダイジェストの再生を通じて興味をもったコンテンツの再生を要求すれば、当該コンテンツの再生を開始する。
【００５７】
テレビ１が、コンテンツ・サーバ４から上記コンテンツおよびダイジェストを取得し、再生するまでの方法は概ね以下のとおりである。
【００５８】
テレビ１が、Ｗｅｂブラウズ機能によってインターネット網３を介してコンテンツ・サーバ４にテレビ１において再生可能なデータを要求するためのリクエスト・データ６を送信すると、これに対して、コンテンツ・サーバ４は、当該リクエスト・データ６に応じたレスポンス７をテレビ１に送信する。コンテンツ・サーバ４が、テレビ１に送信するレスポンス７にはテレビ１からの要求に応じてコンテンツまたはダイジェストが含まれる。
【００５９】
コンテンツ・サーバ４からレスポンス・データ７を受信した後、テレビ１は、当該レスポンス・データ７に含まれるテレビ１において再生可能なデータを解析し、再生を開始する。
【００６０】
（テレビおよびコンテンツ・サーバの構成）
次に、テレビ１およびコンテンツ・サーバ４の具体的な構成について説明する。図１は、本実施形態に係るテレビ１およびコンテンツ・サーバ４の要部構成を示したブロック図である。
【００６１】
まず、テレビ１について説明する。同図に示すように、テレビ１は、入力受付部１１、通信部１２、主制御部１３、記憶部１４、および表示部１５を備える構成である。
【００６２】
入力受付部１１は、リモコン２からの操作信号を受け付け、当該操作信号を主制御部１２の再生制御部１７に転送するためのものである。本実施形態において入力受付部１１は、操作信号を検知するためのハードウェアまたはソフトウェアモジュールから構成される。しかしながら、これに限られず、リモコン２からの操作信号を受け付けるのではなく、テレビ１の本体に配置される操作用ための図示しないボタン類から操作信号を受け付けてもよい。
【００６３】
通信部１２は、ネットワーク接続機能を実現するものである。通信部１２は、主制御部１３の命令に応じて、インターネット網３を介して、コンテンツ・サーバ４と通信を行うものである。なお、本実施形態における通信部１２のネットワーク接続機能は、上記イーサネット（登録商標）による有線接続の形態、またはＩＥＥＥ８０２．１１ｂ等の無線規格に準拠した接続形態で実現されていてもよく、公知の技術を適用することができる。
【００６４】
主制御部１３は、テレビ１が備える各部材の各種動作を統括的に制御するものであり、機能ブロックとしてコンテンツ取得部１６、再生制御部１７、およびコンテンツ解析部１８を備えている。なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記各部材、コンテンツ取得部１６、再生制御部１７、およびコンテンツ解析部１８は、上記ＣＰＵが上記記憶装置に格納されたプログラムを実行し、図示しない入出力回路などの周辺回路を制御することによって実現される機能ブロックである。
【００６５】
コンテンツ取得部１６は、再生制御部１７の命令に従って、上記通信部１２を介してコンテンツ・サーバ４から、コンテンツまたはダイジェストを取得し、コンテンツ記憶部１９に記憶するものである。コンテンツ取得部１６は、例えば、サーバに対してテレビ１が再生可能なデータを要求するリクエスト・データを送信し、そのリクエストに対するサーバのレスポンス・データとしてコンテンツまたはダイジェストを受信する。
【００６６】
また、コンテンツ取得部１６は、再生制御部１７の命令に従って、コンテンツ記憶部１９から、コンテンツまたはダイジェストを読み出し、再生制御部１７に転送する機能も担っている。
【００６７】
再生制御部１７は、入力受付部１１から送信されるの操作信号を受け付け、当該操作信号を解析した結果や、テレビ１の状況に応じて種々の処理を行うものである。再生制御部１７は、テレビ１の各部に各種命令を送信し、コンテンツまたはダイジェストの再生に関する処理を統合的に行う。
【００６８】
コンテンツ解析部１８は、コンテンツまたはダイジェストを解析し、次に再生すべきデータを決定するものである。
【００６９】
上記コンテンツ取得部１６、再生制御部１７、およびコンテンツ解析部１８の動作詳細については後ほど詳しく説明する。
【００７０】
記憶部１４は、各種データおよびプログラムを記憶しておくものである。記憶部１４の例としては、主制御部１３が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、画像データなどを記憶する書換え可能な不揮発性メモリ（例えばフラッシュメモリ）とが挙げられる。本実施形態においては、記憶部１４は、コンテンツ記憶部１９を含む構成となっている。コンテンツ記憶部１９は、上記コンテンツ取得部１６がコンテンツ・サーバ４から取得した、コンテンツを記憶するものである。コンテンツ記憶部１９の詳細については後述する。
【００７１】
表示部１５は、主制御部１３から画像データを受信し、受信した画像データに基づいて表画面に画像を表示するものである。表示部１５は、例えば、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とから構成される表示装置である。
【００７２】
（コンテンツ・サーバの構成）
次に、図１を参照してコンテンツ・サーバ４の具体的な構成について説明する。同図に示すように、コンテンツ・サーバ４は、通信部２１、コンテンツ送信部２２、記憶部２３を備える構成である。
【００７３】
通信部２１は、インターネット網３へのネットワーク接続機能を実現するものである。
【００７４】
コンテンツ送信部２２は、通信部２１を介して、テレビ１からのリクエスト・データを受信し、当該リクエスト・データに応じて、後述のコンテンツ記憶部２４から読み出したデータをレスポンスとして返信するものである。
【００７５】
記憶部２３は、種々の情報を記憶するためのものである。本実施形態において、記憶部２３は、具体的には、コンテンツ・サーバ４が、テレビ１に対して提供するＷｅｂページや動画、音楽など種々のコンテンツデータおよび当該コンテンツに関するダイジェストデータを記憶するためのコンテンツ記憶部２４を有する。
【００７６】
（テレビが再生可能なデータについて）
次に、本実施形態に係るテレビ１が再生可能なデータについて説明する。
【００７７】
図３は、コンテンツとダイジェストの間の関係を示す図である。同図に示す、コンテンツ１２１およびコンテンツ１２２の２つのコンテンツについて説明する。コンテンツ１２１およびコンテンツ１２２は、テレビ１が再生可能なデータの一例である。具体的には、コンテンツ１２１およびコンテンツ１２２は、複数のスライドから構成されるデータの集合体である。コンテンツ１２１は、スライドＡ１〜Ａ１０までの１０枚のスライドを含む。また、コンテンツ１２２は、スライドＢ１〜Ｂ１０までの１０枚のスライドを含む。
【００７８】
本実施形態では、テレビ１は、コンテンツに含まれる画像データをスライド・ショー形式で順に再生する。例えば、コンテンツ１２１に含まれる画像データを、スライドＡ１から順番にＡ１０まで再生する。テレビ１は、スライドＡ１０まで再生し終わると、再びスライドＡ１に戻って再生する。しかしながら、これに限られず、必ずしもスライドＡ１に戻って繰り返し再生する必要はなく、テレビ１は、コンテンツ１２１に含まれるスライドを順番に全て再生し終わったら、コンテンツ１２１の再生を終了しても良い。また、コンテンツのデータ形式についても、特に制限は無く、Ｗｅｂページや画像データ、動画データ、音楽データ等の種々のデータ形式についても適用可能である。
【００７９】
（ダイジェストに含まれるスライドについて）
同図に示す、ダイジェスト１１１は、コンテンツ１２１のダイジェストであり、ダイジェスト１１２は、コンテンツ１２２のダイジェストである。
【００８０】
ここで、コンテンツに含まれるスライドと、ダイジェストに含まれるスライドとの関係について説明する。本実施形態においては、ダイジェストは、コンテンツの少なくとも一部のスライドを含むものである。コンテンツが、図３に示すコンテンツ１２１およびコンテンツ１２２のような、複数枚のスライドから構成されるような場合には、ダイジェストは、コンテンツに含まれるスライドのうち、コンテンツの特徴部分を示すようなスライドを含んでいればよい。
【００８１】
ダイジェストに含めるスライドの抽出方法には、特に制限は無く、例えば、コンテンツの再生順序上、先頭から４枚のスライドをダイジェストに含める画像データとすることができる。例えば、ダイジェスト１１１は、図３に示すように、コンテンツ１２１の先頭から４枚のスライドＡ１〜Ａ４から構成されている。しかしながら、これに限られず、コンテンツの最初のスライドと、最後のスライドのみを抽出したりしてもよく、各種の抽出方法を適用できる。
【００８２】
また、抽出したスライドを加工したものを、ダイジェストに含めてもよい。以下に、このスライドの加工について説明する。
【００８３】
図３に示す、ダイジェスト１１２は、スライドＢ１、スライドＢ３´、スライドＢ５´を含んでいるが、スライドＢ３´、および、スライドＢ５´は、コンテンツ１２２に含まれるスライドＢ３、スライドＢ５のデータを加工したものであることを示す。
【００８４】
図４と図５を用いて、スライドのデータの加工について、具体的に例示する。図４は、コンテンツの一例を示す図であり、図５は、当該コンテンツのダイジェストの一例を示す図である。
【００８５】
図４に示すコンテンツ８０は、地図情報に対応する地域のレストランの所在地、グルメ情報をプロットし、それぞれのレストランに対応するグルメ情報を、ユーザに提供するコンテンツである。図４に示す、コンテンツ８０は、スライド８１〜８７を含んでいる。スライド８１は、当該コンテンツのタイトルを表示するものである。スライド８２は、特定の地域の地図情報に、地図情報に対応する地域の５つのレストランの所在地をプロットしたスライドである。スライド８２には、５つのレストランの所在地がプロットされている。スライド８１〜スライド８７は、５つのレストランのそれぞれに対応するグルメ情報を紹介するためのスライドである。
【００８６】
一方、図５に示す、コンテンツ８０のダイジェスト７０は、スライド７１〜７３を含んでいる。ここで、ダイジェスト７０に含まれるスライド７１は、コンテンツ８０に含まれるスライド８１と、同一の内容を示す画像データである。一方、ダイジェスト７０に含まれるスライド７２は、特定の地域の地図情報に、地図情報に対応する地域の３つのレストランの所在地をプロットしたスライドである。
【００８７】
また、スライド７３は、プロットされた３つのレストランのうちの一について対応するグルメ情報を紹介したスライドである。
【００８８】
スライド７２およびスライド７３は、コンテンツ８０に含まれるスライド８２およびスライド８３よりもプロットされているレストランが２つ少ない。
【００８９】
このように、コンテンツに含まれるスライドを適宜加工したスライドがダイジェストに含まれていてもよい。
【００９０】
（ダイジェスト再生の流れについて）
次に、テレビ１がダイジェスト１１１およびダイジェスト１１２について再生するときの流れについて図３を参照しながら説明する。本実施形態においては、テレビ１は、各ダイジェストに含まれるスライドを所定の時間おきに、順番に再生していく。すなわち、テレビ１は、ダイジェストの再生において、ダイジェスト１１１に含まれるＡ１から再生を開始する。その後、テレビ１は、ダイジェスト１１１に含まれるスライドＡ２〜スライドＡ４まで順番にスライドを再生する。
【００９１】
図３に示すように、複数のダイジェストが存在する場合は、テレビ１は、ダイジェスト同士の間に規定された所定の順序に従い再生する。例えば、図３に示すダイジェスト１１１およびダイジェスト１１２については、ダイジェスト１１１は、ダイジェスト１１２よりも先に再生されるよう順序が設定されている。従って、この場合、テレビ１は、ダイジェスト１１１に含まれるスライドＡ１〜Ａ４までを再生した後、ダイジェスト１１２に含まれるスライドＢ１、Ｂ３´、Ｂ５´を順に再生する。また、本実施形態では、ダイジェスト１１２に含まれるスライドＢ５´まで再生すると、再びダイジェスト１１１に含まれるスライドＡ１に戻って再生する。
【００９２】
（ダイジェスト再生とコンテンツ再生の関係について）
次に、ダイジェスト再生とコンテンツ再生との関係について、図３を参照しながら説明する。まず、テレビ１は、ユーザからのダイジェスト再生の指示を受け付ける。ここでダイジェスト再生の指示は、例えば、ユーザがリモコン２に備えられた「再生ボタン」を押下することに対応している。テレビ１は、ダイジェスト１１１に含まれるスライドＡ１から再生を開始する。テレビ１は、ダイジェスト１１１およびダイジェスト１１２に含まれるスライドを順番に再生していく。
【００９３】
ユーザは、テレビ１が再生するダイジェスト１１１に含まれるスライドを視聴することで、コンテンツ１２１の概略的な内容を把握することができる。ここで、ユーザは、コンテンツ１２１について興味を持った場合は、リモコン２でテレビ１に、コンテンツを再生する指示を行い、テレビ１にコンテンツ１２１自体を再生させることができる。例えば、ユーザは、リモコン２に備えられている「決定ボタン」を押下することでテレビ１にコンテンツ１２１自体を再生するよう指示することができる。
【００９４】
テレビ１は、ユーザからコンテンツ１２１を再生するよう指示があった場合、コンテンツ１２１をスライドＡ１から順番に再生していく。テレビ１がコンテンツ１２１を再生する動作については前述のとおりである。ユーザは、テレビ１が順番に再生するスライドＡ１〜Ａ１０を通じて、コンテンツ１２１のすべての内容を把握することができる。
【００９５】
ここで、テレビ１は、コンテンツ１２１を再生している際に、ユーザから、コンテンツ１２１の再生を終了する指示を受け付ける。テレビ１は、ユーザから、コンテンツ１２１の再生を終了するよう指示されると、コンテンツ１２１に含まれるスライドの再生を中止するとともに、ダイジェストの再生を再開する。このようにコンテンツの再生を終了する指示は、例えばリモコン２が備える「戻るボタン」に対応付けられていればよい。
【００９６】
本実施形態においては、ダイジェストの再生を再開する場合、テレビ１は、直前に再生していたダイジェストの次の順番に位置するダイジェストの先頭から再生を再開する。ここで、テレビ１が、直前に再生していたダイジェストはダイジェスト１１１であるから、テレビ１は、ダイジェスト１１２に含まれるスライドＢ１から再生を再開する。ユーザは、テレビ１が、ダイジェスト１１２に含まれるスライドを再生するので、ダイジェスト１１２に対応するコンテンツ１２２についても、その概略的な内容を把握することができる。
【００９７】
（リモコンによる操作の特性について）
次に、リモコンによる操作の特性について説明する。テレビ１は主としてリモコン２からの操作入力によって操作されるので様々な制約が存在する。
【００９８】
なぜならば、リモコン２は、基本的には、テレビ放送のチャネル操作に用いられる数字ボタンや、音量調節に用いられるボタン、方向ボタン、再生、決定、戻るボタン、その他の設定調整等に用いられるボタンしか備えていないからである。
【００９９】
従って、リモコン２では、パソコンのキーボードのように直接的に文字入力を行うこともできず、マウスのように、画面上の対象をポイントして選択することもできないため、キーワード検索や、ディレクトリ検索をするには不向きである。
【０１００】
本来、一般的にテレビという装置は、ユーザがリビングなどでリラックスして受動的にコンテンツを視聴して楽しむことを想定したものである。このため、テレビ１の操作の目的で利用されるリモコン２は、パソコン向けの入力デバイスと比べると、必然的にテレビ放送を始めとするのテレビ向けのコンテンツの切り替えに最小限必要な構成となっているといえる。
【０１０１】
上記のような背景を考慮すると、テレビ１においてユーザが、自分が所望するコンテンツの探索を行うとき、スライド・ショー形式でダイジェストを提示することは有効である。その理由について、再び図３を参照して説明すると、ユーザは、特に操作を行うことなく、画面に順番に表示されるダイジェスト１１１およびダイジェスト１１２についてのダイジェスト再生を眺めているだけで、コンテンツ１２１および１２２の概要を把握することができるからである。また、ユーザは、自分が興味をもったコンテンツについては、リモコン２が備える決定ボタンを押下するだけで、再生を開始することができ、その全ての内容を再生することができる。
【０１０２】
また、本実施形態に係るテレビ１は、コンテンツの再生を終了し、ダイジェストの再生を再開するとき、再生制御部１７は、所定のダイジェストの先頭からスライドを再生する。このため、ダイジェスト再生を、第一コンテンツの先頭のスライドから再開する場合よりも、同じスライドを重複して再生することを防ぐことができる。また、各ダイジェストは、コンテンツの概略的な内容を示すという性質を有するため、ダイジェスト再生を再開するとき、直前に再生していたスライドから再生するよりも、直前に再生していたダイジェストの次の順番に位置するダイジェストの先頭のスライドから再生を再開したほうが、ユーザにとって、ダイジェストが示すコンテンツの概略的な内容を把握しやすい。
【０１０３】
（ダイジェストの活用方法）
上記以外にも、ダイジェスト再生の活用方法を例示すれば以下のとおりである。
【０１０４】
図６は、ダイジェストの一例を示す図である。同図を参照して、ユーザにクイズを出題するクイズサービスのコンテンツに関するダイジェストの一例を説明する。このサービスでは、クイズとクイズの答えを含むコンテンツをサービスとして提供している。当該サービスは、「みんなでクイズ」という名称で呼ばれる。
【０１０５】
サービス「みんなでクイズ」では、あらかじめ用意された様々なクイズから毎日、日替わりでクイズをピックアップし、みんなでクイズ・ダイジェスト５０として提供している。みんなでクイズ・ダイジェスト５０は、スライド５１〜５３の３つのスライドから構成されている。スライド５１は、サービスのタイトルを表示するものである。「みんなでクイズ」というサービスのタイトルが表示される。スライド５２では、昨日に出題されたクイズが表示される。スライド５３では、当日に出題されたクイズを表示している。
【０１０６】
ここで、例えばユーザがこのサービスに興味を持ち、詳細情報を確認するために第二のコンテンツの再生を開始した際には、スライド５１のタイトル、スライド５２およびスライド５３において示される問題に加えて、さらにコンテンツに含まれる昨日の問題の答え等も再生される。
【０１０７】
図７は、ダイジェストのさらに別の一例を示す図である。同図を参照して、ユーザに写真のスライドショーを提供するサービスのコンテンツに関するダイジェストの一例を説明する。このサービスでは、ネットワーク上でユーザ間の写真データの共有を実現する、いわゆる写真データ共有サービスと連携し、ユーザが投稿した様々な写真データをコンテンツとしている。
【０１０８】
写真ダイジェスト６０は、日替わりで特定のテーマに沿った写真を、当該コンテンツから１０枚程度抽出した写真データから構成される。抽出の方法としては、例えば写真データ共有サービスにおいて、ユーザが各写真データに付加したタグを、特定のキーワードで検索する方法が考えられる。
【０１０９】
図７では、写真ダイジェスト６０が含むスライドの一部としてスライド６１〜６３を例示している。スライド６１は、当該コンテンツのタイトルを表示するものである。スライド６２および６３は、キーワード「世界のタワー」に関連する写真を示すスライドである。
【０１１０】
（サーバ側のコンテンツ記憶部について）
次に、本実施形態に係るコンテンツ・サーバ４のコンテンツ記憶部２４において、ダイジェストに含まれるスライドおよびコンテンツに含まれるスライドがどのように記憶されているかについて説明する。図１０は、コンテンツ・サーバ４のコンテンツ記憶部２４に記憶されている各スライドの格納形式を示す概略図である。コンテンツ記憶部２４には、コンテンツ名と、スライド番号とに関連づけてスライドデータが記憶されている。各スライドデータは、「コンテンツ名」および「スライド番号」によって識別される。例えば、ダイジェスト１１１に含まれるスライドＡ１は、図１０において、コンテンツ名「digest」、スライド番号「１」に関連付けて記憶されている。
【０１１１】
また、コンテンツ１２１およびコンテンツ１２２は、図１０における、コンテンツ名「serviceA」および「serviceB」に対応している。例えば、コンテンツ１２２に含まれるスライドＢ１は、コンテンツ名「serviceB」、スライド番号「１」に関連付けて記憶されている。
【０１１２】
コンテンツ・サーバ４のコンテンツ記憶部２４は、各スライドをＵＲＬ（Uniform Resource Locator）に対応付けて記憶している。ここで、上記ＵＲＬの記述ルールについて説明する。コンテンツ・サーバ４のコンテンツ記憶部２４に記憶されているスライドと、ＵＲＬの対応関係は以下の通りである。すなわち、本実施形態において、前述の遷移先のデータ項目に設定されるＵＲＬは、「http://（ホスト名）/（コンテンツ名）/slideNo=（スライド番号）」という記述ルールに従って記述されている。
【０１１３】
ホスト名はコンテンツ・サーバ４に割り当てられているホスト名を表す。また、コンテンツ名は、コンテンツ・サーバ４のコンテンツ記憶部２４に記憶されているスライドに対応するコンテンツ名を表し、スライド番号は、当該スライドに対応するスライド番号を表す。
【０１１４】
従って、コンテンツ・サーバ４に割り当てられているホスト名が、「foo.com」であるとき、ダイジェスト１１１に含まれるスライドＡ１を指定するＵＲＬの記述は、「http://foo.com/digest/slideNo=1」となる。
【０１１５】
（スライドのデータ構造）
次に、本実施形態に係るスライドの詳細について説明する。図８は、本実施形態に係るダイジェストに含まれる各スライドのデータ構造を示した模式図である。同図は、ダイジェスト１１１に含まれるスライドＡ３を示している。同図に示すように、ダイジェストに含まれる各スライドは、データ項目として、表示画像、表示時間および遷移先の３つを含む。以下に、それぞれのデータ項目の設定について説明する。
【０１１６】
図８によると、まず、表示画像のデータ項目は、再生制御部１７が、ダイジェスト１１１が含むスライドＡ３を再生するときに読み込む画像を示すデータ項目である。同図が示すように、表示画像には、「ｓｌｉｄｅ３．ｊｐｇ」が設定されている。これは、画像データのファイル名を意味しており、再生制御部１７が、ＪＰＥＧ（Joint Photographic Experts Group）画像データ・ファイルを読み込み再生することを意味している。また、これに限られず、表示画像には、ＪＰＥＧ画像のような静止画像データ・ファイルだけでなく、動画データ・ファイルを指定できるようにしてもよい。
【０１１７】
次に、表示時間のデータ項目は、再生制御部１７が、ダイジェスト再生の際に、上記画像ファイルを再生する時間を表す。同図が示すように、ダイジェスト１１１が含むスライドＡ３については、５秒が設定されている。そのため、再生制御部１７は、５秒経過すると、次に再生すべきスライドに遷移する。
【０１１８】
次に、遷移先のデータ項目は、状況に応じた遷移先を指定するためのデータ項目である。遷移先のデータ項目は、さらに「決定」、「戻る」および「自動遷移」の詳細項目を含む。「決定」には、決定ボタンが押下されたとき、再生制御部１７が次に再生すべきスライドが設定されている。図８によれば、「決定」には、再生すべきスライドが格納されている場所を特定するＵＲＬである「http://foo.com/serviceA/slideNo=1」が設定されている。この設定は、ダイジェスト１１１が含むスライドＡ３を再生している間に、ユーザから「決定ボタン」の操作信号を検知したとき、再生制御部１７は、「http://foo.com/serviceA/slideNo=1」で特定されるデータを取得し再生を開始しなければならないことを意味している。当該ＵＲＬは所定の記述ルールに従って記載されている。ここで、図１０を参照すると、遷移先のデータは、コンテンツ１２１のスライドＡ１であることを意味する。
【０１１９】
また、「戻る」には、戻るボタンの操作信号を検知したとき、再生制御部１７が取るべき処理が設定されている。図８によれば、「戻る」には、ダイジェスト再生を終了しなければならないことを示す「再生終了」が設定されている。「自動遷移」には、上記表示時間が経過したとき、再生制御部１７が次に再生すべきスライドが設定されている。再生制御部１７は、すなわち５秒が経過した後、ＵＲＬ「http://foo.com/digest/slideNo=4」によって特定されるデータを取得し、再生を開始しなければならないことを意味する。図１０を参照すると、上記ＵＲＬで特定されるデータは、ダイジェスト１１１のスライドＡ４である。
【０１２０】
次に、コンテンツに含まれるスライドのデータ構造について説明する。図９は、コンテンツ１２１に含まれるスライドＡ２のデータ構造の模式図である。同図に示すとおり、コンテンツ１２１に含まれるスライドも、表示画像、表示時間および遷移先の３つのデータ項目を含む。ここで、表示画像、表示時間のデータ項目は、既に説明したダイジェストに含まれるスライドの対応するためのデータ項目と同様であるので、その説明を省略する。
【０１２１】
遷移先のデータ項目は、さらに「戻る」と、「自動遷移」との詳細項目を含む。まず、「戻る」は、戻るボタンの操作信号を検知した場合の遷移先だが、ダイジェストの場合と異なり、ここでは、再生制御部１７がダイジェスト再生を再開する場合の戻り先が設定されている。同図を用いて、コンテンツ１２１に含まれるスライドＡ２について具体的に説明すると、「戻る」には、ＵＲＬ「http://foo.com/digest/slideNo=5」が設定されている。図１０によると、ＵＲＬ「http://foo.com/digest/slideNo=5」により特定されるデータは、ダイジェスト１１２が含むスライドＢ１である。「戻る」ボタンの操作信号を検知したとき、再生制御部１７は、ダイジェスト１１２が含むスライドＢ１からダイジェスト再生を開始しなければならないことを意味している。このスライドＢ１は、ダイジェスト１１２に含まれる先頭のスライドである。
【０１２２】
この設定があることで、コンテンツ１２１の再生から、ダイジェスト再生に戻るときに、直前に再生していたダイジェストの次の順番に位置するダイジェストの先頭のスライドから再生を再開することができる。なお、「自動遷移」の詳細項目は、表示時間が経過した後、再生制御部１７が、次に再生すべきスライドを格納している場所を特定するＵＲＬが設定されているが、既に説明したものと同様であるので省略する。
【０１２３】
なお、上記ダイジェストおよびコンテンツに属するスライドのデータ構造は、ファイルシステム上のファイルの複合体によって構成されていてもよいし、または、ファイルシステム上では１ファイルだが、各データ項目を含んでいるバイナリデータによって実現されていてもよい。
【０１２４】
（動作詳細について）
次に、ユーザ、テレビ１、およびコンテンツ・サーバ４間のデータの流れについて説明する。図１１は、ユーザ、テレビ１、およびコンテンツ・サーバ４間のデータの流れを示したシーケンス図である。
【０１２５】
同図によると、まず、リモコン２が、ユーザによって再生ボタンが押下されたことを検知し、テレビ１の入力受付部１１に、決定ボタンの操作信号を転送する（Ｑ１０１）。入力受付部１１から、当該決定ボタンの操作信号を受信した再生制御部１７は、ダイジェスト１１１に含まれるスライドＡ１から再生を実行する。ここで、本実施形態では、ダイジェスト１１１に含まれるスライドＡ１のＵＲＬは、「http://foo.com/digest/slideNo=1」である。まず、再生制御部１７は、コンテンツ取得部１６に当該ＵＲＬによって特定されるデータを取得するよう命令する。コンテンツ取得部１６は、通信部１２を介してコンテンツ・サーバ４にスライドＡ１を取得するためのリクエスト・データを送信する（Ｑ１０２）。
【０１２６】
次に、コンテンツ・サーバ４のコンテンツ送信部２２が当該リクエスト・データを受信する。コンテンツ送信部２２は、前述の手順で受信したリクエスト・データに含まれるＵＲＬを解析して、図１０に示す対応関係に基づいて、スライドをコンテンツ記憶部２４から読み出す。そして、コンテンツ送信部２２は、通信部２１を介してダイジェスト１１１に含まれるスライドＡ１をテレビ１に送信する（Ｑ１０３）。
【０１２７】
次に、テレビ１では、コンテンツ取得部１６が上記ダイジェスト１１１に含まれるスライドＡ１を受信し、当該スライドＡ１をコンテンツ記憶部１９に記憶するとともに、上記スライドＡ１を再生制御部１７にも転送する。なお、上記スライドＡ１は、ワーキングメモリの領域に記憶されてもよいし、不揮発性メモリなどに永続的に記憶されるようにしてもよい。再生制御部１７は、コンテンツ取得部１６から取得した上記スライドＡ１に含まれる表示画像を、表示部１５において表示するよう制御する（Ｑ１０４）。
【０１２８】
ここで、再生制御部１７は、表示時間に指定されている時間だけ、再生部１５において、当該表示画像を表示するように制御する。再生制御部１７は、入力受付部１１において、さらなる操作信号がなければ、次のスライドを取得するため以下の処理を行う。
【０１２９】
まず、再生制御部１７は、コンテンツ解析部１８に上記ダイジェスト１１１に含まれるスライドＡ１のデータを転送する。コンテンツ解析部１８では、上記スライドＡ１のデータ構造を解析し、遷移先の「自動遷移」に設定されている次に再生すべきスライドのＵＲＬ「http://foo.com/digest/slideNo=2」を取得する。そして、コンテンツ解析部１８は、再生制御部１７に当該ＵＲＬを送信する。再生制御部１７は、コンテンツ解析部１８から取得したＵＲＬに基づいて、次のスライドを取得するようコンテンツ取得部１６に命令する。
【０１３０】
コンテンツ取得部１６は、サーバコンテンツ・サーバ４に、リクエスト・データを送信し（Ｑ１０５）、これに対するレスポンス・データとして、サーバコンテンツ・サーバ４からダイジェスト１１１に含まれるスライドＡ２を受信する（Ｑ１０６）。表示部１５において、上記スライドＡ２に含まれる表示画像が表示される（Ｑ１０７）。
【０１３１】
このようにして、ダイジェスト１１１に含まれるスライドＡ３まで順番にダイジェスト再生される（Ｑ１０８〜Ｑ１１０）。上記スライドＡ３まで再生されたとき、入力受付部１１が決定ボタンの操作信号を検知する（Ｑ１１１）と、再生制御部１７は、コンテンツ記憶部１９から上記スライドＡ３を読み出すようコンテンツ取得部１６に命令する。
【０１３２】
再生制御部１７は、コンテンツ取得部１６によって、読み出された上記スライドＡ３をコンテンツ解析部１８に送信する。コンテンツ解析部１８は、上記スライドＡ３のデータ構造を解析し、遷移先の「決定」からＵＲＬ「http://foo.com/serviceA/slideNo=1」を取得する。当該ＵＲＬに基づいて、テレビ１から、リクエスト・データがサーバに送信され（Ｑ１１２）、これに対して、サーバからコンテンツ１２１に含まれるスライドＡ１がテレビ１に送信される（Ｑ１１３）。テレビ１の表示部１５に上記スライドＡ１の表示画像が表示される（Ｑ１１４）。
【０１３３】
このようにして、テレビ１において、コンテンツ１２１に含まれるスライドＡ２まで再生される（Ｑ１１５〜Ｑ１１７）。さらに、上記スライドＡ２の表示画像が表示されているときに、入力受付部１１が、戻るボタンの操作信号を検知すると（Ｑ１１８）、再生制御部１７は、ダイジェスト再生を再開するため以下の処理を行う。
【０１３４】
まず、上記コンテンツ１２１に含まれるスライドＡ２をコンテンツ解析部１８に転送する。コンテンツ解析部１８では、上記スライドＡ２のデータ構造を解析し、遷移先の「戻る」からＵＲＬ「http://foo.com/digest/slideNo=5」を取得する。当該ＵＲＬに基づいて、テレビ１から、リクエスト・データがサーバに送信され（Ｑ１１９）、これに対して、サーバからダイジェスト１１２に含まれるスライドＢ１がテレビ１に送信される（Ｑ１２０）。テレビ１の表示部１５に上記スライドＢ１の表示画像が表示される（Ｑ１２１）。以後、テレビ１において、ダイジェスト再生が継続して行われる（Ｑ１２２〜Ｑ１２４）。
【０１３５】
（ダイジェスト再生処理工程）
続いて、テレビ１における、ダイジェスト再生処理工程について説明する。図１２は、本実施形態に係るテレビ１のダイジェスト再生処理工程を示したフロー図である。
【０１３６】
テレビ１は、入力受付部１１において、ダイジェスト再生についての操作信号を受け付ける（Ｓ３０１）。当該操作信号については、既に説明した通りである。そして、入力受付部１１において再生ボタンの操作信号を検知すると（Ｓ３０１においてＹ）、テレビの再生制御部１７が、コンテンツ取得部１６を介して、ダイジェストに含まれるスライドをコンテンツ・サーバ４から取得する（Ｓ３０２）。コンテンツ解析部１８において、スライドのデータ構造が解析され、自動遷移時や、各操作要求があった場合の遷移先が取得されるとともに、表示部１５において表示画像が表示される（Ｓ３０３）。
【０１３７】
ここで、入力受付部１１において、戻るボタンの操作信号を検知すれば（Ｓ３０４においてＹ）、ダイジェスト再生は終了する。そうでなければ、処理は継続し（Ｓ３０４においてＮ）、スライドの表示時間内に、入力受付部１１において、決定ボタンの操作信号があれば、再生制御部１７は、ユーザからの詳細情報を視聴する要求であると解釈し（Ｓ３０５においてＮ）、コンテンツ取得部１６が次のスライドをサーバから取得する（Ｓ３０２に戻る）。
【０１３８】
一方、スライドの表示時間内に、入力受付部１１において、決定ボタンの操作信号を検知すると（Ｓ３０５においてＹ）、すなわち、コンテンツ解析部１８が、ユーザからの詳細情報を視聴する要求であると解釈し、コンテンツ解析部１８が、再生中のスライドのデータ構造を解析し取得した「決定」のＵＲＬに基づいて、コンテンツ取得部１６が再生中のスライドに対応するスライドをコンテンツ・サーバ４から取得する（Ｓ３０６）。コンテンツ解析部１８において、スライドのデータ構造が解析され、自動遷移時や、「戻る」の操作要求があった場合の遷移先が取得されるとともに、表示部１５において表示画像が表示される（Ｓ３０７）。
【０１３９】
ここで、スライドの表示時間内に、入力受付部１１において、戻るボタンの操作信号を検知すれば、再生制御部１７は、ユーザからの再生を終了する要求であると解釈し（Ｓ３０８においてＹ）、スライドの「戻る」の設定に基づいて次に再生するべきダイジェストを特定し、当該ダイジェストに含まれる先頭のスライドからダイジェスト再生を再開する（Ｓ３０９を経てＳ３０２に戻る）。表示時間を経過した場合（Ｓ３０８においてＮ）、再生制御部１７は、コンテンツの再生を継続する（Ｓ３０６に戻る）。
【０１４０】
なお、ここで、上記Ｓ３０８において、コンテンツの終端を検知し、自動的にダイジェスト再生に戻ってもよい。すなわち、コンテンツに含まれる最後のスライドを再生しているとき、当該スライドの表示時間が経過したことを、再生制御部１７が検知し、当該スライドの「戻る」の設定に基づいて次に再生するべきダイジェストを特定し、当該ダイジェストに含まれる先頭のスライドからダイジェスト再生を再開するようにしてもよい。
【０１４１】
（変形例１）
以上のように、本実施形態に係るテレビ１によれば、コンテンツの特徴部分を抽出したスライドから構成されるダイジェストについて、ダイジェストの再生中にコンテンツの再生を受け付け、そしてコンテンツの再生を終了し、ダイジェストの再生を再開するときに、適切な再生位置から再開できる。本実施形態において、適切な再生位置とは、それぞれのダイジェストの先頭に順序付けられたスライドのことである。これにより、ユーザは、コンテンツの再生を終了し、ダイジェストの再生を再開した際に、直前に再生していた、ダイジェストに関して、当該ダイジェストの次に位置するダイジェストに含まれる最初のスライドから視聴を再開できる。このため、ユーザはダイジェストの再生を再開したことを容易に認識することができ、また、次のダイジェストを迅速に視聴することができる。
【０１４２】
続いて、本実施形態に係るテレビ１の好ましい変形例について説明する。
【０１４３】
図３において、ダイジェストとコンテンツとの間の画面遷移について説明した。しかしながら、これに限られず、別の画面遷移とすることも可能である。図１３は、ダイジェストとコンテンツとの間のさらに別の画面遷移を示す関係図である。
【０１４４】
同図によると、テレビ１がコンテンツの再生を終了し、ダイジェストの再生を再開したときに、再生制御部１７が、直前に再生していたダイジェストについて、当該ダイジェストに含まれる先頭のスライドから再生を再開している。
【０１４５】
具体的には、ダイジェスト１１１をダイジェスト再生中に、再生制御部１７が、詳細情報を視聴する要求を検知すると、テレビ１は、コンテンツ１２１の再生を開始する。すなわち、スライドＡ１を起点としてスライドＡ２〜Ａ１０の再生を開始する。ここで、再生制御部１７がコンテンツの再生を終了する要求を検知すると、前述の場合とは異なり、ダイジェスト１１１に含まれる先頭のスライドであるスライドＡ１からダイジェスト再生を再開する。
【０１４６】
これにより、テレビ１は、ダイジェストの再生を再開するときに、直前に再生していたダイジェストについて、当該ダイジェストに含まれる先頭のスライドから再生を再開することになるので、ユーザは、元のダイジェストの再生が再開したことを容易に認識することができる。
【０１４７】
（変形例２）
続いて、本実施形態に係るテレビ１のさらに別の変形例について説明する。図１４は、ダイジェストとコンテンツとの間のさらに別の画面遷移を示す関係図である。同図は、図３とほとんど同様であるが以下の点で異なる。すなわち、図３と異なり、同図が示す画面遷移においては、コンテンツの再生を終了する要求を受け付け、コンテンツの再生から、ダイジェストの再生に遷移するときに、すぐに対応するスライドを再生するのではなく、一度メニュー画面を経由する。
【０１４８】
上記メニュー画面について、具体的に例示する。図１５は、コンテンツの再生から、第一コンテンツの再生に遷移するときに、表示するメニュー画面の一例を示す図である。当該メニュー画面には、ダイジェスト再生に関する「コンテンツ名」が表示される。すなわち、「地図グルメランキング」、「スライドショー」および「みんなでクイズ」である。また、当該メニュー画面には、戻るボタンが配置されている。これら、コンテンツ名および戻るボタンは、リモコン２における操作で、それぞれ選択することができる。そして、ユーザが、リモコン２の決定ボタンを押下すると、テレビ１において、ユーザが選択した内容に対応した処理が行われる。
【０１４９】
例えば、戻るボタンが選択されている状態で、ユーザによって、リモコン２の決定ボタンが押下されると、テレビ１は、前述のとおりダイジェスト再生を再開する。また、各コンテンツ名が選択されている状態で、ユーザによって、リモコン２の決定ボタンが押下されると、テレビ１は、対応するコンテンツを再生するようにしてもよい。
【０１５０】
（変形例３）
続いて、本実施形態に係るテレビ１のさらに別の変形例について説明する。図１６および図１７は、ダイジェストとコンテンツとの間のさらに別の画面遷移を示す関係図である。まず、図１６を参照して説明すると、ダイジェストに含まれるスライドで、コンテンツに対応していない場合があってもかまわない。例えば、同図において、スライド１、スライド２およびスライド３は、コンテンツに対応していない。このため、これらのスライドを再生中に、詳細情報取得要求の入力を検知しても、コンテンツの再生は開始されない。
【０１５１】
この場合、再生制御部１７は、コンテンツの再生を終了する要求を受け付け、コンテンツの再生から、ダイジェストの再生に遷移するときに、ダイジェストに属するスライドのうち、何れのスライドから再生を再開すべきかが問題となる。図１６においては、ダイジェスト２１１およびダイジェスト２１２について、それぞれのダイジェストに含まれる先頭スライドから再生を再開する。例えば、コンテンツ１２１から、ダイジェストの再生に遷移するときは、ダイジェスト２１２に含まれるスライドＢ１から再生を再開する。
【０１５２】
なお、図１６において、コンテンツ１２１から、ダイジェストの再生に遷移するとき、何れかダイジェストに含まれるスライドからダイジェスト再生を再開するのではなく、ダイジェストに属さないスライド１からダイジェスト再生を再開するようにすることも可能である。
【０１５３】
一方、図１７では、スライド・グループ３００にはスライド１〜４、Ｂ１〜Ｂ３が属している。ここで、ダイジェスト３１１はスライドＢ１〜Ｂ３を含む。ダイジェスト３１１には、コンテンツ１２２が対応している。また、コンテンツ再生終了要求を受け付け、コンテンツの再生から、ダイジェストの再生に遷移するときには、ダイジェスト３１１に含まれるスライドＢ１から再生を再開するように制御される。
【０１５４】
（変形例４）
なお、本実施形態においては、ダイジェストと、コンテンツとが複数対複数の対応となっていたが、これに限られない。ダイジェストと、コンテンツとが一対一の対応であってもよい。すなわち、図１３において、ダイジェスト１１１およびコンテンツ１２１のみの構成となっている場合である。この場合においても、以上において説明したテレビ１の構成に変更を加えることなく適用することができる。
【０１５５】
〔実施形態２〕
本発明のさらに別の一実施形態について図１８〜図２３に基づいて説明すると説明すると以下の通りである。本実施形態においては、コンテンツ・サーバ４において、テレビ１におけるダイジェスト再生の再開位置を制御する例について説明する。
【０１５６】
図１８は、本実施形態に係るテレビ１およびコンテンツ・サーバ４の要部構成を示したブロック図である。同図は、図１と比べて、テレビ１について、コンテンツ解析部１８に替えて、メッセージ作成部３３が、コンテンツ記憶部１９に替えて、コンテンツ記憶部３２が、コンテンツ・サーバ（コンテンツ提供サーバ）４について、コンテンツ決定部（コンテンツ決定手段、中断位置情報取得手段）４３が構成に追加されている。
【０１５７】
また、記憶部２３において、コンテンツ記憶部２４に替えて、コンテンツ記憶部４１が、さらに再開位置情報記憶部４２、再開位置テーブル記憶部４４が設けられている点が異なり、その他の構成は同様である。なお、上記実施形態で説明した構成と同様の機能を有する構成には同一の符号を付して、その説明を省略する。
【０１５８】
以下において、テレビ１が備えるコンテンツ記憶部３２およびメッセージ作成部３３について説明する。
【０１５９】
コンテンツ記憶部３２は、コンテンツ・サーバ４から受信するコンテンツを記憶するためのものだが、本実施形態におけるコンテンツは、図８および図９のようなデータ構造とはなっておらず、各コンテンツに属するスライドは、画像データそのものである。
【０１６０】
メッセージ作成部３３は、コンテンツをコンテンツ・サーバ４から受信するためのリクエスト・データを作成するものである。本実施形態では、コンテンツ・サーバ４とのやり取りは、メッセージ作成部３３が作成するリクエスト・データに含まれるメッセージを用いて行われる。メッセージのデータ形式については、後述する。
【０１６１】
以下において、コンテンツ・サーバ４が備える記憶部２３が有するコンテンツ記憶部４１、再開位置情報記憶部４２および再開位置テーブル記憶部４４、ならびにコンテンツ決定部４３について説明する。
【０１６２】
まず、記憶部２３が有するコンテンツ記憶部４１は、テレビ１に送信するためのコンテンツを記憶するためのものである。コンテンツ記憶部４１は、各スライドを、前述のとおり図８および図９のようなデータ構造を有していない、いわゆるファイルシステム上の通常のファイルとして記憶されている。
【０１６３】
再開位置情報記憶部４２は、テレビ１が、再生しているスライドの位置を示す情報を記憶するものである。
【０１６４】
また、再開位置テーブル記憶部４４は、ダイジェスト再生を再開するスライドの位置と、再開すべきスライドの位置との対応関係を示す情報が記憶されるものである。再開位置情報記憶部４２および再開位置テーブル記憶部４４に記憶されるデータのデータ構造等は、後に詳細に説明する。
【０１６５】
コンテンツ決定部４３は、テレビ１から送信されるリクエスト・データに含まれるメッセージを解析し、テレビ１に送信するコンテンツを決定するものである。
【０１６６】
（ダイジェスト再生の概略について）
次に、本実施形態における、ダイジェスト再生の概略について説明する。図１９は、第一コンテンツ、第二コンテンツおよび第三コンテンツに属するスライドの再生の遷移を示す図である。同図に示すように、図３の場合と異なり、コンテンツの階層が３階層となっている。まず、第一コンテンツと第二コンテンツと再生の制御の流れの概要は以下のとおりである。まず、第一コンテンツを再生しているとき、下位のコンテンツを要求する下位コンテンツ要求を再生制御部３１が検知すると、再生制御部３１は、第一コンテンツに対応する第二コンテンツを再生するよう制御する。一方、第二コンテンツを再生中に、上位のコンテンツを要求する上位コンテンツ要求を、再生制御部３１が検知すると、再生制御部３１は、第二コンテンツに対応する第一コンテンツを再生するよう制御する。図１９によると、第一コンテンツのダイジェスト４１１に対して第二コンテンツ４２１が対応付けられている。第一コンテンツのダイジェスト４１２に第二コンテンツ４２２が対応付けられている。
【０１６７】
続いて、第二コンテンツと第三コンテンツとの関係を以下に説明する。第二コンテンツ４２１に属するスライドＡ１〜Ａ５は、第三コンテンツ４３１に対応付けられている。また、第二コンテンツ４２１に属するＡ６〜Ａ１０は、第三コンテンツ４３２に対応付けられている。第三コンテンツ４３１も、第二コンテンツ４２２等と同様、スライドデータを含むコンテンツであり、スライドＣ１〜Ｃ１０を含む。第三コンテンツ４３２は、スライドＤ１〜Ｄ１０を含む。
【０１６８】
このような、コンテンツ間に上記の関係にあるとき、テレビ１は、以下のようにコンテンツを再生する。すなわち、コンテンツ再生中に、再生制御部３１において、詳細情報を視聴する要求を検知したら、再生制御部３１は、当該コンテンツに対応付けられている、下位の階層のコンテンツを要求する「下位コンテンツ要求」を、コンテンツ・サーバ４に送信する。コンテンツ・サーバ４は、「下位コンテンツ要求」に基づいて、テレビ１に送信するスライドを決定する。テレビ１は、当該コンテンツ・サーバ４から応答されるスライドの再生を開始する。
【０１６９】
また、再生制御部３１において、再生を終了する要求を検知すれば、再生制御部３１は、再生中のスライドの一つ上位の階層のコンテンツに対応するコンテンツを要求する「上位コンテンツ要求」を、コンテンツ・サーバ４に送信する。コンテンツ・サーバ４は、テレビ１から受信した「上位コンテンツ要求」に応じて、テレビ１に送信するスライドを決定し、当該スライドをテレビ１に送信する。テレビ１は、当該コンテンツ・サーバ４から応答されるスライドの再生を開始する。
【０１７０】
上記スライドは、再開位置情報記憶部４２に記憶されている情報に基づいて、コンテンツ決定部４３が決定する。なお、再生の制御の流れについての詳細については後述する。
【０１７１】
（メッセージ）
ここで、テレビ１のメッセージ作成部３３が作成するメッセージについて説明する。図２０は、メッセージ作成部３３が作成するメッセージのデータ構造を示す図である。同図が示すとおり、メッセージは、「装置ＩＤ」、「操作コード」および「スライドＩＤ」のデータ項目を含む。
【０１７２】
装置ＩＤは、テレビ１自身の識別情報を格納する項目である。この装置ＩＤによって、コンテンツ・サーバ４は、リクエスト・データを送信してくるクライアントであるテレビを識別することができる。
【０１７３】
操作コードは、テレビ１が、ダイジェスト再生の際、コンテンツ・サーバ４に送信する命令を格納する項目である。具体的には、操作コードには、図１９における「下位コンテンツ要求」、「上位コンテンツ要求」、または、単に次の順番のスライドを要求する「次のスライド要求」等が有る。
【０１７４】
例えば、操作コードの生成は、以下の手順で行われる。すなわち、第一のコンテンツを再生しているときに、入力受付部１１において、決定ボタンの操作信号が検知されると、再生制御部１７は、当該検知された信号を“詳細情報を視聴する要求”と判定し、再生制御部１７は、メッセージ作成部３３に、第一コンテンツの下位のコンテンツを取得するためのメッセージを作成するよう命令する。再生制御部１７からの命令に応じてメッセージ作成部３３は、「下位コンテンツ要求」の操作コードを、メッセージに設定する。
【０１７５】
また、第二のコンテンツを再生しているときに、入力受付部１１において、戻るボタンの操作信号が検知されると、再生制御部１７は、当該検知された信号を“再生を終了する要求”と判定し、再生制御部１７は、メッセージ作成部３３に、第二コンテンツの上位のコンテンツを取得するためのメッセージを作成するよう命令する。再生制御部１７からの命令に応じてメッセージ作成部３３は、「上位コンテンツ要求」の操作コードを、メッセージに設定する。また、再生制御部１７が、再生中のスライドの表示時間が経過したことを検知し、「次のスライド要求」の操作コードを、メッセージに設定する。
【０１７６】
スライドＩＤは、テレビ１が、メッセージを含むリクエスト・データを送信するときに再生しているスライドＩＤを格納するためのデータ項目である。
【０１７７】
（再開位置テーブル記憶部と再開位置情報記憶部）
以下に、再開位置テーブル記憶部４４および再開位置情報記憶部４２に記憶されるデータのデータ構造について詳細に説明していく。まず、再開位置テーブル記憶部４４に記憶される情報について説明する。図２１は、コンテンツ決定部４３が、テレビ１に送信するスライドを決定するために必要な情報を格納する再開位置テーブルの一例である。再開位置テーブル記憶部４４には、図示するような再開位置テーブルが記憶されている。同図に示すとおり、再開位置テーブルは、「コンテンツ名」、「再生中断スライド」および「再生再開スライド」のデータ項目を含む。
【０１７８】
コンテンツ名は、コンテンツの種類を示すデータ項目である。また、再生中断スライドと再生再開スライドとによって、再生を中断したスライドと、次に再生を再開したときに再生すべきスライドが対応付けられている。
【０１７９】
本実施形態においては、図２１に示すように、コンテンツ名として、「digest」および「serviceA」の２種類のコンテンツ名が登録されている。そして、「digest」と「serviceA」とのそれぞれについて、再生中断スライドに関連づけて、再生再開スライドが記憶されている。
【０１８０】
ここで、具体例を挙げて、再開位置テーブルの使用方法について説明すると、再開位置テーブルを用いれば、ダイジェスト４１１に含まれるスライド３において、スライドの再生が中断した場合は、再生中断スライド「digest１〜４」の範囲で中断したこととなるので、次に再生を再開すべきスライドは、当該再生中断スライドに対応する再開スライドである「digest５」を採用し、スライド５から再生すべきであることがわかる。
【０１８１】
なお、以上において、「digest」および「serviceA」の２種類のコンテンツ名が登録されている例について説明したが、これに限られず、この他のコンテンツが存在すれば、例えばコンテンツ名「serviceB」として、再開位置テーブルに登録しておくことも可能である。
【０１８２】
次に、再開位置情報記憶部４２に記憶される、再生を中断したスライドを特定するのに必要な情報について説明する。図２２は、再生を中断したスライドを特定するのに必要な中断情報テーブルである。中断情報テーブルは、再開位置情報記憶部４２に記憶されている。中断情報テーブルは、コンテンツの階層毎に、中断したスライドの位置を記憶しておくことができる。記憶できる内容は、「コンテンツ名」と「再生中断スライド」との組のデータである。
【０１８３】
同図において、第一コンテンツの中断位置は、コンテンツ名「digest」、再生中断スライド「３」からスライド３であることがわかる。また、第二コンテンツの中断位置は、コンテンツ名「serviceA」、再生中断スライド「７」から、スライドＡ７であることがわかる。
【０１８４】
（動作詳細について）
次に、ユーザ、テレビ１、およびコンテンツ・サーバ４間のデータの流れについて説明する。図２３は、ユーザ、テレビ１、およびコンテンツ・サーバ４間のデータの流れを示したシーケンス図である。同図を参照しながら、図１９において説明した第一〜第三コンテンツを再生する手順について説明する。
【０１８５】
図２３によると、まず、リモコン２が、ユーザによって決定ボタンが押下（Ｑ２０１）されたことを検知し、テレビ１の入力受付部１１に、決定ボタンの操作信号を転送する。入力受付部１１から、当該決定ボタンの操作信号を受信した再生制御部１７は、ダイジェスト再生を開始するため以下の処理を行う。まず、再生制御部３１は、メッセージ作成部３３に、第一コンテンツをコンテンツ・サーバ４から取得するように命令する。
【０１８６】
ここで、本実施形態では、メッセージ作成部３３は、ダイジェスト再生において最初に再生する第一コンテンツを特定するための「初回スライド要求」を、操作コードに指定してメッセージを作成するものとする。メッセージ作成部３３は、「初回スライド要求」が設定されたメッセージをコンテンツ取得部１６に送信する。コンテンツ取得部１６では、メッセージ作成部３３から受信した、操作コード「初回スライド要求」が設定されたメッセージを含むリクエスト・データを作成し、コンテンツ・サーバ４に送信する（Ｑ２０２）。
【０１８７】
次に、コンテンツ・サーバ４は、テレビ１からのリクエスト・データを受信する。コンテンツ決定部４３が、通信部２１を介して上記リクエスト・データを受信し、当該リクエスト・データからメッセージを抽出する。コンテンツ決定部４３は、メッセージを解析し、テレビ１からのコンテンツの要求は、「初回スライド要求」であると判定する。
【０１８８】
テレビ１が、ダイジェスト再生を開始しようとしていることがわかるので、テレビ１に送信すべきコンテンツは、第一コンテンツに属するスライド１であると判定する。コンテンツ決定部４３は、送信すべきコンテンツに関する情報をコンテンツ送信部２２に送信する。
【０１８９】
コンテンツ送信部２２は、コンテンツ決定部４３から送信すべきコンテンツに関する情報を受信し、スライド１をコンテンツ記憶部４１から読み出すとともに、通信部２１を介してテレビ１にスライド１を送信する（Ｑ２０３）。
【０１９０】
次に、テレビ１は、コンテンツ・サーバ４からスライド１を受信する。コンテンツ取得部１６は、受信したスライド１をコンテンツ記憶部３２に記憶するとともに、再生制御部３１にも送信する。再生制御部３１は、スライド１を表示部１５において表示するよう制御する（Ｑ２０４）。
【０１９１】
ここで、スライド１の所定の表示時間が経過したことを再生制御部３１が検知すると、メッセージ作成部３３に、次に再生すべきコンテンツを取得するためのメッセージを作成するよう命令する。なお、本実施形態において、所定の表示時間は、設定ファイルなどに設定されていればよく、例えば、当該設定ファイルを、記憶部１４に記憶してもよいし、コンテンツ・サーバ４で記憶するようにしてもよい。
【０１９２】
そして、メッセージ作成部３３は、操作コード「次のスライド要求」と、スライドＩＤ「スライド１」とが設定されたメッセージをコンテンツ取得部１６に送信する。コンテンツ取得部１６では、メッセージ作成部３３から受信した、操作コード「次のスライド要求」と、スライドＩＤ「スライド１」とが設定されたメッセージを含むリクエスト・データを作成し、コンテンツ・サーバ４に送信する（Ｑ２０５）。
【０１９３】
次に、コンテンツ・サーバ４は、テレビ１からのリクエスト・データを受信する。コンテンツ決定部４３が、通信部２１を介して上記リクエスト・データを受信し、当該リクエスト・データからメッセージを抽出する。コンテンツ決定部４３は、メッセージを解析し、テレビ１からのコンテンツの要求は、「スライド１」に関する「次のスライド要求」であると判定する。
【０１９４】
テレビ１が、スライド１の次のスライドを開始しようとしていることがわかるので、テレビ１に送信すべきコンテンツは、スライド１の次のスライドであるスライド２であると判定する。コンテンツ決定部４３は、送信すべきコンテンツに関する情報をコンテンツ送信部２２に送信する。
【０１９５】
コンテンツ送信部２２は、コンテンツ決定部４３から送信すべきコンテンツに関する情報を受信し、スライド２をコンテンツ記憶部４１から読み出すとともに、通信部２１を介してテレビ１にスライド２を送信する（Ｑ２０６）。テレビ１は、スライド２を受信し、表示部１５において画面表示を行う（Ｑ２０７）。
【０１９６】
そして、スライド２の表示時間が経過すると、先ほどと同様に、テレビ１は、次のスライドを取得するべく、操作コード「次のスライド要求」と、スライドＩＤ「スライド２」とが設定されたメッセージを含むリクエスト・データを作成し、コンテンツ・サーバ４に送信する（Ｑ２０８）。これに対して、コンテンツ・サーバ４は、スライド３をテレビ１に送信する（Ｑ２０９）。テレビ１は、スライド３の画面表示を行う（Ｑ２１０）。
【０１９７】
ここで、スライド３の画面表示を行う表示時間内に、ユーザによって、リモコン２の決定ボタンが押下されると（Ｑ２１１）、テレビ１は、今度は、現在再生しているスライド３の下位コンテンツである第二コンテンツを要求するためのメッセージを作成する。すなわち、テレビ１は、メッセージ作成部３３において、操作コード「下位コンテンツ要求」と、スライドＩＤ「スライド３」とを設定したメッセージを作成する。そして、テレビ１は、当該メッセージを含むリクエスト・データをコンテンツ・サーバ４に送信する（Ｑ２１２）。
【０１９８】
次に、操作コード「下位コンテンツ要求」と、スライドＩＤ「スライド３」とを設定したメッセージを含むリクエスト・データを受信したコンテンツ・サーバ４は、コンテンツ決定部４３において、当該リクエスト・データを解析する。コンテンツ決定部４３は、テレビ１が、第一コンテンツのダイジェスト４１１に含まれるスライド３を再生しており、テレビ１が、スライド３に基づいて、第二コンテンツを要求していると判定する。
【０１９９】
ダイジェスト４１１に対応する第二コンテンツは、第二コンテンツ４２１であるため、コンテンツ決定部４３は、テレビ１に送信すべきコンテンツが、第二コンテンツ４２１の先頭のスライドであるスライドＡ１であると判定する。ここで、さらに、コンテンツ決定部４３は、ダイジェスト再生において、第一コンテンツの再生が中断したことを認識し、この旨を再開位置情報記憶部４２に記憶する。具体的には、コンテンツ決定部４３は、再開位置情報記憶部４２にコンテンツ名「digest」と、再生中断スライド「３」とのデータの組を記憶する。
【０２００】
そして、コンテンツ・サーバ４は、スライドＡ１をテレビ１に送信する（Ｑ２１３）。テレビ１にスライドＡ１が画面表示される（Ｑ２１４）。
【０２０１】
このようにして、テレビ１において、順にスライドＡ１〜スライドＡ７が再生される（Ｑ２１５〜Ｑ２１７）。ここで、スライドＡ７の画面表示を行う表示時間内に、ユーザによって、再び、リモコン２の決定ボタンが押下されると（Ｑ２１８）、テレビ１は、今度は、現在再生しているスライドＡ７のさらに下位コンテンツである第三コンテンツを要求するために、メッセージ作成部３３において、操作コード「下位コンテンツ要求」と、スライドＩＤ「スライドＡ７」とを設定したメッセージを作成する。そして、テレビ１は、当該メッセージを含むリクエスト・データをコンテンツ・サーバ４に送信する（Ｑ２１９）。
【０２０２】
次に、操作コード「下位コンテンツ要求」と、スライドＩＤ「スライドＡ７」とを設定したメッセージを含むリクエスト・データを受信したコンテンツ・サーバ４は、コンテンツ決定部４３において、当該リクエスト・データを解析する。コンテンツ決定部４３は、テレビ１が、第二コンテンツ４２１に含まれるスライドＡ７を再生しており、テレビ１が、スライドＡ７に基づいて、第三コンテンツを要求していると判定する。第二コンテンツ４２１に含まれるスライドＡ７に対応する第三コンテンツは、第三コンテンツ４３２であるため、コンテンツ決定部４３は、テレビ１に送信すべきコンテンツは、第三コンテンツ４３２の先頭のスライドであるスライドＤ１であると判定する。
【０２０３】
ここで、さらに、コンテンツ決定部４３は、ダイジェスト再生において、第二コンテンツの再生が中断したことを認識し、この旨を再開位置情報記憶部４２に記憶する。具体的には、コンテンツ決定部４３は、再開位置情報記憶部４２にコンテンツ名「serviceA」と、再生中断スライド「７」とのデータの組を記憶する。そして、コンテンツ・サーバ４は、スライドＤ１をテレビ１に送信する（Ｑ２２０）。テレビ１にスライドＤ１が画面表示される（Ｑ２２１）。
【０２０４】
以後、ユーザがリモコン２において操作入力行わなければ、順にテレビ１においてスライドＤ１〜スライドＤ１０が再生される。
【０２０５】
このようにして、スライドＤ１〜スライドＤ１０が再生されている間、例えばスライドＤ１０が再生されている間に、ユーザによって、リモコン２の戻るボタンが押下されると（Ｑ２２２）、テレビ１は、今度は、現在再生しているスライドＤ１０の上位コンテンツである第二コンテンツの再生を再開するためのメッセージを作成する。すなわち、テレビ１は、メッセージ作成部３３において、操作コード「上位コンテンツ要求」と、スライドＩＤ「スライドＤ１０」とを設定したメッセージを作成する。
【０２０６】
そして、テレビ１は、当該メッセージを含むリクエスト・データをコンテンツ・サーバ４に送信する（Ｑ２２３）。
【０２０７】
次に、操作コード「上位コンテンツ要求」と、スライドＩＤ「スライドＤ１０」とを設定したメッセージを含むリクエスト・データを受信したコンテンツ・サーバ４は、コンテンツ決定部４３において、当該リクエスト・データを解析する。コンテンツ決定部４３は、テレビ１が、第三コンテンツ４３２に含まれるスライドＤ１０を再生しており、テレビ１が、第二コンテンツの再生を再開すること要求していると判定する。
【０２０８】
ここで、コンテンツ決定部４３は、直前に再生していた第二コンテンツを知るために、再開位置情報記憶部４２を参照する。コンテンツ決定部４３は、再開位置情報記憶部４２から、直前に再生していた第二コンテンツに関する情報である、コンテンツ名「serviceA」と、再生中断スライド「７」とのデータの組を読み出し、テレビ１が、直前に再生していた第二コンテンツは、スライドＡ７であると判定する。
【０２０９】
ここで、さらに、コンテンツ決定部４３は、再開位置テーブル記憶部４４を参照し、コンテンツ名「serviceＡ」に対応する「再生中断スライド」について、スライドＡ７に対応するデータを検索する。スライドＡ７は、「６〜１０」に対応するので、このことから、再生再開スライドは「１」であると判明する。よって、コンテンツ決定部４３は、テレビ１に送信すべきスライドは、スライドＡ１であると判定する。そして、コンテンツ・サーバ４は、スライドＡ１をテレビ１に送信する（Ｑ２２４）。テレビ１にスライドＡ１が画面表示される（Ｑ２２５）。
【０２１０】
これに続けて、スライドＡ１の表示時間内に、ユーザによって、リモコン２の戻るボタンが押下されると（Ｑ２２６）、テレビ１は、現在再生しているスライドＡ１のさらに上位コンテンツである第一コンテンツの再生を再開するために、メッセージ作成部３３において、操作コード「上位コンテンツ要求」と、スライドＩＤ「スライドＡ１」とを設定したメッセージを作成する。そして、テレビ１は、当該メッセージを含むリクエスト・データをコンテンツ・サーバ４に送信する（Ｑ２２７）。
【０２１１】
次に、コンテンツ・サーバ４は、テレビ１からのリクエスト・データを受信する。コンテンツ決定部４３が、通信部２１を介して上記リクエスト・データを受信し、当該リクエスト・データからメッセージを抽出する。コンテンツ決定部４３は、前述の手順により、直前に再生していた第一コンテンツが、スライド３であると判定し、当該判定に基づいて、再生を再開するべき第一コンテンツは、ダイジェスト４１２に含まれるスライド５であると判定する。そして、コンテンツ・サーバ４は、テレビ１にスライド５を送信する（Ｑ２２８）。テレビ１にスライド５が画面表示される（Ｑ２２９）。
【０２１２】
以上のように、本実施形態に係るテレビ１は、下位の階層に属するコンテンツの再生を中断し、上位の階層に属するコンテンツの再生を開始するときに、当該上位の階層に属するコンテンツにおける、所定の位置、特にコンテンツにおける順序関係上、最初の位置から再生を再開するので、当該上位の階層に属するコンテンツを再生していることを、ユーザが容易に認識できる。
【０２１３】
しかも、本実施形態のように、各階層におけるコンテンツ再生の状況をコンテンツ・サーバ４において記憶しておけば、コンテンツのデータ構造を簡略化できる。すなわち、コンテンツに設定すべきデータは少なくて済み、また、コンテンツ間の関係が、複雑になることを防ぐことができる。本実施形態のように、コンテンツの階層が増えた場合など、特に効果が大きい。
【０２１４】
（変形例）
なお、本実施形態においては、コンテンツの階層が第一コンテンツ、第二コンテンツおよび第三コンテンツの３つの階層である場合について説明したが、これに限られない。例えば、（実施形態１）において示したように、２階層のコンテンツであってもかまわない。
【０２１５】
また、本実施形態においては、複数の第一コンテンツに対して複数の第二コンテンツが対応していた。例えば、第一コンテンツのダイジェスト４１１に対して、第二コンテンツ４２１が対応し、第一コンテンツのダイジェスト４１２に対して、第二コンテンツ４２２が対応していた。しかしながら、これに限られず、上位コンテンツと、下位コンテンツとが、一対一の対応となっていてもよい。
【０２１６】
すなわち、図１９において、第一コンテンツのダイジェスト４１１および第二コンテンツ４２１のみの構成の場合等である。この場合、第二コンテンツ４２１の再生中に上位コンテンツ要求があった場合に、ダイジェスト４１１のスライド１から、再生が再開されるように、再開位置テーブルの設定を適宜変更しておけばよい。特に、コンテンツの階層が、２つの階層であり、第一コンテンツと第二コンテンツとが、一対一の対応であれば、再開位置テーブルに記憶するべき情報は、前述のものより簡易になる。すなわち、第二コンテンツを再生している間に、上位コンテンツ要求があった場合に、再生を再開すべき第一コンテンツのスライドを特定する情報のみを記憶しておけば足りる。
【０２１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１８】
最後に、テレビ１およびコンテンツ・サーバ４の各ブロック、特にテレビ１の主制御部１３は、ハードウェアロジックによって構成してもよいし、次のようにＣＰＵを用いてソフトウェアによって実現してもよい。
【０２１９】
すなわち、テレビ１およびコンテンツ・サーバ４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるテレビ１およびコンテンツ・サーバ４の制御プログラムのプログラムコード（実行形式プログラム、中間コードプログラム、ソースプログラム）をコンピュータで読み取り可能に記録した記録媒体を、上記テレビ１およびコンテンツ・サーバ４に供給し、そのコンピュータ（またはＣＰＵやＭＰＵ）が記録媒体に記録されているプログラムコードを読み出し実行することによっても、達成可能である。
【０２２０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２１】
また、テレビ１およびコンテンツ・サーバ４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２２２】
画像データ、動画データ、および音楽データ等のコンテンツを再生するコンテンツ再生装置に広く適用することができる。例えば、テレビ以外にも、ユーザ・インターフェースにおいて、入力ボタンが少ないような装置、特に携帯電話においてコンテンツをダイジェスト再生するような用途にも適用できる。
【図面の簡単な説明】
【０２２３】
【図１】本実施形態に係るテレビおよびコンテンツ・サーバの概略構成を示したブロック図である。
【図２】本発明の一実施形態に係るコンテンツ提供システムについての概略を示す図である。
【図３】ダイジェストおよびコンテンツに属するスライドの再生の遷移を示す図である。
【図４】コンテンツの一例を示す図である。
【図５】ダイジェストの一例を示す図である。
【図６】ダイジェストのさらに別の一例を示す図である。
【図７】ダイジェストのさらに別の一例を示す図である。
【図８】本実施形態に係るダイジェストに含まれる各スライドのデータ構造を示した模式図である。
【図９】コンテンツに含まれるスライドのデータ構造の模式図である。
【図１０】コンテンツ・サーバのコンテンツ記憶部に記憶されているスライドを示す概略図である。
【図１１】ユーザ、テレビ、およびコンテンツ・サーバ間のデータの流れを示したシーケンス図である。
【図１２】本実施形態に係るテレビのダイジェスト再生処理工程を示したフロー図である。
【図１３】ダイジェストとコンテンツとの間のさらに別の画面遷移を示す図である。
【図１４】ダイジェストとコンテンツとの間のさらに別の画面遷移を示す図である。
【図１５】コンテンツの再生から、ダイジェストの再生に遷移するときに、表示するメニュー画面の一例を示す図である。
【図１６】ダイジェストとコンテンツとの間のさらに別の画面遷移を示す関係図である。
【図１７】ダイジェストとコンテンツとの間のさらに別の画面遷移を示す関係図である。
【図１８】本実施形態に係るテレビおよびコンテンツ・サーバの概略構成を示したブロック図である。
【図１９】第一コンテンツ、第二コンテンツおよび第三コンテンツに属するスライドの再生の遷移を示す図である。
【図２０】メッセージ作成部が作成するメッセージのデータ構造を示す図である。
【図２１】コンテンツ決定部が、テレビに送信するコンテンツを決定するために必要な情報を格納する再開位置テーブルである。
【図２２】再生を中断したスライドを特定するのに必要な中断情報テーブルである。
【図２３】ユーザ、テレビ、およびコンテンツ・サーバ間のデータの流れを示したシーケンス図である。
【符号の説明】
【０２２４】
１    テレビ（コンテンツ再生装置）
４    コンテンツ・サーバ（コンテンツ提供サーバ）
１１    入力受付部
１４    記憶部
１５    表示部
１６    コンテンツ取得部
１７    再生制御部（再生手段、再生制御手段）
１８    コンテンツ解析部
１９    コンテンツ記憶部
４２    再開位置情報記憶部
４３    コンテンツ決定部（コンテンツ決定手段、中断位置情報取得手段）
４４    再開位置テーブル記憶部
【図１】
0004386949.tif 000002
【図２】
0004386949.tif 000003
【図３】
0004386949.tif 000004
【図４】
0004386949.tif 000005
【図５】
0004386949.tif 000006
【図６】
0004386949.tif 000007
【図７】
0004386949.tif 000008
【図８】
0004386949.tif 000009
【図９】
0004386949.tif 000010
【図１０】
0004386949.tif 000011
【図１１】
0004386949.tif 000012
【図１２】
0004386949.tif 000013
【図１３】
0004386949.tif 000014
【図１４】
0004386949.tif 000015
【図１５】
0004386949.tif 000016
【図１６】
0004386949.tif 000017
【図１７】
0004386949.tif 000018
【図１８】
0004386949.tif 000019
【図１９】
0004386949.tif 000020
【図２０】
0004386949.tif 000021
【図２１】
0004386949.tif 000022
【図２２】
0004386949.tif 000023
【図２３】
0004386949.tif 000024